(57)【要約】【課題】ねじ部に高い嵌合調整などを必要とせずに高い防水性を確保でき、かつ安価に製造できるパッキン付きねじ込み式プラグの固定構造及び固定方法を提供する。【解決手段】パッキン付きねじ込み式プラグの固定構造であって、パネル１１のプラグ挿入部１２の開口周縁に設けられたリブ１３，１４と、プラグのＯリング２３とにより構成される止水部４と、パネルのプラグ挿入部の内部に保持され、プラグのねじ２１が締結されるナット５と、を備え、ナットは、パネルのプラグ挿入部に、遊び空間を持って、かつ所定角度範囲での回転を許容する状態で保持され、プラグがプラグ挿入部に挿入され、プラグのねじがナットに締結されるとき、止水部のリブにプラグのパッキンが当り、ナットがプラグの位置に移動し、ナットのセンター出しが成される。【選択図】図３
2020047460.tif 000002
【特許請求の範囲】
【請求項１】
パッキン付きねじ込み式プラグの固定構造であって、
パネルのプラグ挿入部の開口周縁に円環状に設けられたリブと、前記プラグのパッキンとにより構成される止水部と、
前記パネルのプラグ挿入部に保持され、前記プラグのねじが締結されるナットと、を備え、
前記ナットは、前記パネルのプラグ挿入部の内部に設けられたナット挿入部の内周面に対して遊び空間を持って、かつ所定角度範囲での回転を許容する状態で保持され、
前記プラグが前記プラグ挿入部に挿入され、前記プラグのねじが前記ナットに締結されるとき、前記止水部のリブに前記プラグのパッキンが当り、前記ナットが前記プラグの位置に移動し、前記ナットのセンター出しが成されることを特徴とするパッキン付きねじ込み式プラグの固定構造。
【請求項２】
前記ナット及び該ナットに接触する状態で設けられる緩衝材を、前記パネルと該パネルに固定されるホルダーとの間に挟み込んで保持させたことを特徴とする請求項１記載のパッキン付きねじ込み式プラグの固定構造。
【請求項３】
前記ナットは、前記パネルの内面に設けられた回転止め用の突起により、所定角度範囲を超えての回転を規制されていることを特徴とする請求項１又は請求項２に記載のパッキン付きねじ込み式プラグの固定構造。
【請求項４】
パッキン付きねじ込み式プラグの固定方法であって、
パネルのプラグ挿入部の開口周縁に円環状に設けられたリブと、前記プラグのパッキンとにより構成される止水部と、
前記パネルのプラグ挿入部に保持され、前記プラグのねじが締結されるナットと、を用い、
前記ナットを、前記パネルのプラグ挿入部の内部に設けられたナット挿入部の内周面に対して遊び空間を持って、かつ所定角度範囲での回転を許容する状態で保持させ、
前記プラグを前記プラグ挿入部に挿入し、前記プラグのねじを前記ナットに締結させるとき、前記止水部のリブに前記プラグのパッキンが当ることにより、前記ナットを移動させて前記ナットのセンター出しをすることを特徴とするパッキン付きねじ込み式プラグの固定方法。
【発明の詳細な説明】
【技術分野】
【０００１】
本発明は、防水機能を持った機器のマイクプラグの脱着コネクタ部に適用されるプラグの固定構造及び固定方法に関する。
【背景技術】
【０００２】
この種の機器におけるマイクプラグの脱着コネクタ部において、高価な防水のコネクタを使用せずに、構成簡単にして止水を比較的安価にできる、パッキン付きねじ込み式プラグを用いることが考えられる。ところが、このパッキン付きねじ込み式構造においては、製造時に、ねじ部について厳密な嵌合調整を行う必要があり、高い工程管理が必要となる。
【０００３】
この技術分野に関連して、マイクプラグ（ジャック類）の取付構造において、ジャック類の軸センターと化粧パネルの穴センターとが多少位置ずれしても、シャーシの孔に遊びを設けておいて、シャーシの孔に対してジャックの軸を偏心させることで位置ずれを吸収することが知られている（例えば特許文献１参照）。
【０００４】
また、ねじ込み式プラグを用いた構成に関連して、ボルト及びナットの供廻り防止を図るために、ナットの座面に突起、取付部材に凹部を設ける構造が知られている（例えば特許文献２，３参照）。
【先行技術文献】
【特許文献】
【０００５】
【特許文献１】実開昭５４−００１１９６号公報
【特許文献２】実開昭４８−０３３９６６号公報
【特許文献３】特開昭５７−１５７８１０号公報
【発明の概要】
【発明が解決しようとする課題】
【０００６】
ところが、特許文献１に示されるものは、マイクプラグの軸を差し込んで行く構成において、偏心しているナットのセンターを合わせて止水性を確保するといった技術に適用できるものではない。また、特許文献２，３に示されるものは、ナットと同形状のザグリ、ナットの取付板材に突起やルーパーを設けており、ナットを配置する際に、位置決めの精度が要求されてしまう。
【０００７】
本発明は、パッキン付きねじ込み式プラグを用いる場合に、上述の問題を解決するものであって、ねじ部に高い嵌合調整などを必要とせずに高い防水性を確保でき、かつ安価に製造でき、製造のロボット化対応も可能となるパッキン付きねじ込み式プラグの固定構造及び固定方法を提供することを目的とする。
【課題を解決するための手段】
【０００８】
本発明は、パッキン付きねじ込み式プラグの固定構造であって、パネルのプラグ挿入部の開口周縁に円環状に設けられたリブと、前記プラグのパッキンとにより構成される止水部と、前記パネルのプラグ挿入部に保持され、前記プラグのねじが締結されるナットと、を備え、前記ナットは、前記パネルのプラグ挿入部の内部に設けられたナット挿入部の内周面に対して遊び空間を持って、かつ所定角度範囲での回転を許容する状態で保持され、前記プラグが前記プラグ挿入部に挿入され、前記プラグのねじが前記ナットに締結されるとき、前記止水部のリブに前記プラグのパッキンが当り、前記ナットが前記プラグの位置に移動し、前記ナットのセンター出しが成されることを特徴とする。
【０００９】
また、前記固定構造において、前記ナット及び該ナットに接触する状態で設けられる緩衝材を、前記パネルと該パネルに固定されるホルダーとの間に挟み込んで保持させたものであることが好ましい。
【００１０】
また、前記固定構造において、前記ナットは、前記パネルの内面に設けられた回転止め用の突起により、所定角度範囲を超えての回転を規制されていることが好ましい。
【００１１】
また、本発明は、パッキン付きねじ込み式プラグの固定方法であって、パネルのプラグ挿入口周縁に円環状に設けられたリブと、前記プラグのパッキンとにより構成される止水部と、前記パネルのプラグ挿入部に保持され、前記プラグのねじが締結されるナットと、を用い、前記ナットを、前記パネルのプラグ挿入部の内部に設けられたナット挿入部の内周面に対して遊び空間を持って、かつ所定角度範囲での回転を許容する状態で保持させ、前記プラグを前記プラグ挿入部に挿入し、前記プラグのねじを前記ナットに締結させるとき、前記止水部のリブに前記プラグのパッキンが当ることにより、前記ナットを移動させて前記ナットのセンター出しをすることを特徴とする。
【発明の効果】
【００１２】
本発明によれば、プラグをパネルのプラグ挿入部に挿入したとき止水部のリブにプラグのパッキンが当ってプラグのセンター出しが成され、止水性が確保され、ナットはそのプラグの位置に移動しねじ締結される。このため、従来のように製造時にナットのセンター出しなどの管理を必要とせず、高い止水性を確保しつつ安価に製品を提供できる。
【図面の簡単な説明】
【００１３】
【図１】本発明の一実施形態に係るパッキン付きねじ込み式プラグの固定構造が搭載された無線通信機器の外観図。
【図２】同パッキン付きねじ込み式プラグの外観図。
【図３】同パッキン付きねじ込み式プラグの固定構造における分解断面斜視図。
【図４】同パッキン付きねじ込み式プラグの固定構造におけるプラグ装着状態の断面斜視図。
【図５】同パッキン付きねじ込み式プラグの固定構造におけるナット挿入部を示す図。
【発明を実施するための形態】
【００１４】
以下、本発明の一実施形態に係るパッキン付きねじ込み式プラグの固定構造及び固定方法について、図面を参照して説明する。
【００１５】
図１は、一実施形態に係る無線通信機器１（以下、機器という）の外観を示し、図２は、同機器1に着脱自在に接続されるオプションのマイクプラグ２（以下、プラグという）の外観を示す。これらの図において、機器１は、防水対応のマリントランシーバであり、プラグ２が着脱自在に接続されるプラグの固定構造３を備えている。プラグ２は、パッキン付きねじ込み式プラグである。プラグ２は、機器１側に設けたジャックに先端部が差し込まれるプラグの根元部に設けられたねじ２１と、止水用の樹脂またはゴム等から成るパッキンとしてのＯリング２３と、このＯリング２３の外周に隙間をおいて設けられた鍔状部２４とを備えている。Ｏリング２３は、プラグ２の根元部のねじ２１の後方に設けられている。鍔状部２４は、Ｏリング２３を包囲するように、プラグ２の鞘としてのキャップ２２に一体に設けられている。プラグの固定構造３は、機器１の前面側に設けられた樹脂成型されたパネル１１のプラグ挿入部１２に設けられる。
【００１６】
図３は、プラグの固定構造３の分解断面斜視図であり、図４は、プラグの固定構造３におけるプラグ装着状態の断面斜視図である。これらの図において、プラグの固定構造３は、止水部４と、プラグ２のねじ２１が締結されるナット５と、を備える。止水部４は、パネル１１のプラグ挿入部１２の開口周縁に設けられたリブ１３，１４と、プラグ２のパッキンとしてのＯリング２３と、鍔状部２４により構成される。リブ１３，１４は、パネル１１と一体に一つの軸心周りに内外周二重の円環状に形成されている。ナット５は、パネル１１のプラグ挿入部１２の内部にあるナット挿入部１５にその内周面に対して遊び空間を持って、かつ所定角度範囲での回転を許容する状態で保持される。
【００１７】
プラグ２がプラグ挿入部１２に挿入されたとき、内周側のリブ１３の内周面にＯリング２３の外周が当接することにより止水が成される。また、内外周二重のリブ１３，１４の間にプラグ２の鍔状部２４が嵌合されることにより、リブ１３とＯリング２３とによる止水を補助する。
【００１８】
また、プラグ２がプラグ挿入部１２の開口より挿入され、プラグ２のねじ２１がナット５に締結されるとき、止水部４を成すパネル１１のリブ１３，１４にプラグ２のＯリング２３、鍔状部２４が当り、プラグ２の中心軸とリブ１３，１４の軸心とが合い、センター出しが成される。ナット５はパネル１１のナット挿入部１５の内部に遊び空間を持って保持されているので、ナット５がプラグの位置に移動し、プラグ２のねじ２１とねじ締結される。
【００１９】
上記のように、ナット５がパネル２に完全に固定されず、センターの位置がフリーになっているので、プラグ２がパネル１１に挿入されるとき、止水部４のリブ１３にプラグ２のＯリング２３が均一に当って、プラグ２とリブ１３のセンター出しが成され、ナット５はそのプラグ２の位置に移動され、ねじ締結される。このため、ナット５がパネル１１の止水部４のリブ１３，１４の軸心に対して少々ずれていたとしても、止水部４による止水性は確保される。したがって、高価な防水コネクタを使用しなくてよく、また、従来のように製造時にナットのセンター出しなどの管理を必要とせず、高い止水性を確保しつつ製品を安価に提供できる。
【００２０】
また、ナット５は、パネル１１のナット挿入部１５に遊び空間を持って保持させると共に、ナット５に接触する状態でスポンジ等の緩衝材７を備えている。そのために、ホルダー６とパネル１１で、ナット５と緩衝材７を挟み込んだ構造としている。ホルダー６は、パネル１１に設けた支柱１７に位置決めされ固定される。緩衝材７を備えていることにより、プラグ２をナット５に締結していない状態で、ナット５がナット挿入部１５の壁面に当たってカタカタと音を出すようなことを防止することができる。
【００２１】
また、ナット５をパネル１１のナット挿入部１５に遊び空間を持って保持させた構造であるので、パネル１１のナット挿入部１５にナット５を挿入する組み立て時に、シビアに位置決めせずとも、ラフに作業することができる。このため、ロボット化による組み立てに適し、また、人間が組み立てたとしても作業が容易になる。
【００２２】
図５は、固定構造３におけるナット挿入部１５を示し、ナット挿入部１５にナット５を挿入した状態をパネル１１の内方から見たものである。パネル１１のナット挿入部１５の内面には、ナット５の所定角度範囲を超えての回転を規制するリブ状の複数の回転止め突起１６が設けられている。回転止め突起１６は、本実施形態では、図５に示されるように、ナット５の外周囲に対向して略等間隔に８個設けられ、ナット５は軸方向視で四角形の各コーナー部が切り取られた変形八角形とされている。プラグ２のねじ２１をナット５にねじ締結する時に、ナット５が供回りするが、ナット５が円形でなく、回転止め突起１６があるので、ナット５はある程度回転したら（本例では４５度内）、それ以上回転できなくなり、供回りを防止することができる。また、回転止め突起１６はナット挿入部１５の内面にあって軸方向の一部に設ければよく、従って、ナット挿入部１５の開口部分を実質大きくすることが可能で、ナット挿入部１５へナット５を挿入するときの位置決めをラフにすることができる。
【００２３】
なお、ナット挿入部１５には、図５に示す状態のナット５の上に緩衝材７が挿入され、ホルダー６により保持される。また、ホルダー６には、プラグ２の先端が差し込まれるジャック（図示なし）が固定される。プラグ２は、パネル１１と移動可能なナット５とで締結され固定されるので、ジャックに外部応力が掛かりにくい。
【００２４】
上記のように本実施形態のプラグの固定構造においては、ナット５を完全に固定しておらず、遊びをもって設けられているので、遊びの空間をナット５が移動するため、ナット５の位置決めをプラグ２側で行うことができ、プラグ２をパネル１１側から差し込んでいくと、止水部４のリブ１３でＯリング２３が均一に当り、プラグ２のセンターが出せ、ナット５はそのプラグ２の位置に移動され、締結される。したがって、ナット５のセンターとプラグ挿入部１２のセンターとの位置をシビアに位置決めしなくても、センターを合わせることができ、止水性を確保できる。
【００２５】
また、パッキン付きねじ込み式プラグの固定方法は、上述した止水部４とナット５とを用い、ナット５をパネル１１のナット挿入部１５の内部に遊び空間を持って、かつ所定角度範囲での回転を許容する状態で保持させ、プラグ２をプラグ挿入部１２に挿入し、プラグ２のねじ２１をナット５に締結させるとき、止水部４にプラグ２のＯリング２３が当ることにより、ナット５を移動させてプラグ２のセンター出しをするものである。この固定方法においても、上述の固定構造と同等の作用効果が得られる。
【００２６】
なお、本発明は、上記実施形態の構成に限られず、種々の変形が可能である。例えば、止水部４を成すリブ１３，１４とＯリング２３、ナット５、回転止め突起１６等の構成は、上記に限られず、任意に変形した構成を採用することができる。また、ナット５に接触する緩衝材７は、必要に応じて設けられればよい。
【符号の説明】
【００２７】
１  機器
１１  パネル
１２  プラグ挿入部
１３  リブ
１４  リブ
１５  ナット挿入部
１６  回転止め突起
１７  支柱
２  プラグ
２１  プラグのねじ
２２  プラグのキャップ
２３  Ｏリング（パッキン）
２４  鍔状部
３  プラグの固定構造
４  止水部
５  ナット
６  ホルダー
７  緩衝材
【図１】
2020047460.tif 000003
【図２】
2020047460.tif 000004
【図３】
2020047460.tif 000005
【図４】
2020047460.tif 000006
【図５】
2020047460.tif 000007